(57)【要約】【課題】撮像素子から読み出した画像を圧縮して保存する撮像装置において、並列圧縮処理時にメモリの使用量と転送の効率を上げることを可能にした撮像装置を提供することである。【解決手段】撮像素子から読み出した画像を圧縮して、保存する撮像装置において、非圧縮画像を複数の画像に分割して、同時に圧縮して出力する画像圧縮手段と、圧縮画像の出力先を確保する手段と、確保した出力先を画像の分割ごとにそれぞれ設定する手段と、出力された圧縮画像を連結して保存する手段を備え、前記設定手段による圧縮画像の出力先の設定は、あらかじめ算出した基準画像の圧縮率に基づき設定することを特徴とする構成とした。【選択図】  図４
2019087955.tif 000002
【特許請求の範囲】
【請求項１】
撮像素子（１１２）から読み出した画像を圧縮して、保存する撮像装置（１００）において、
非圧縮画像を複数の画像に分割して、同時に圧縮して出力する画像圧縮手段（４０２）と、
圧縮画像の出力先を確保する手段（１２３）と、
確保した出力先を画像の分割ごとにそれぞれ設定する手段（１２３）と、
出力された圧縮画像を連結して保存する手段（１１９）を備え、
前記設定手段（１２３）による圧縮画像の出力先の設定は、あらかじめ算出した基準画像の圧縮率に基づき設定することを特徴とする撮像装置（１００）。
【請求項２】
非圧縮画像の分割は画素プレーンおよび周波数に基づき分割する。
【請求項３】
出力先の確保はバッファメモリが複数ある時は、すべてのバッファメモリに同じサイズだけ確保する。
【請求項４】
分割した領域のうち、一つでも空き領域がなくなったらその領域は使用しない。
【発明の詳細な説明】
【技術分野】
【０００１】
本発明は、撮像装置及びその制御方法に関し、複数の画像圧縮回路を並列に動作させることができる撮像装置およびその制御方法に関するものである。
【背景技術】
【０００２】
撮像素子にＣＣＤやＣＯＭＳを使用した撮像装置が普及している。これらの撮像素子は表面のカラーフィルターアレイによって、１つの画素で１つの色成分の画素値を表す。Ｒ（赤）、Ｇ１（緑）、Ｇ２（緑）、Ｂ（青）を周期的に配置したカラーフィルターアレイを使用することで、ベイヤー配列の画像データ（以下、ＲＡＷ画像）が得られる。このＲＡＷ画像にフィルター処理、色変換処理、ガンマ処理などの信号処理を行い、輝度信号と色差信号に変換し、ＪＰＥＧなどの非可逆圧縮処理を行い、記録媒体に保存する。
【０００３】
ＪＰＥＧなどに変換して保存すると、データサイズは小さくなるが、復号して再度、現像処理や編集処理を行うと、画質が劣化してしまう。一方でＲＡＷ画像のまま記録媒体に保存するとデータサイズが大きいため、連続撮影枚数や保存可能枚数が減ってしまう。そこで、ＲＡＷ画像に圧縮処理を行い、記録媒体に保存する方式が普及してきている。一方で圧縮処理を行うとその分の処理時間が増えてしまうため、画像データを分割して複数の圧縮回路で並列に圧縮を行い、同一メモリ空間の異なるアドレスに出力することが提案されている（特許文献１）。
【先行技術文献】
【特許文献】
【０００４】
【特許文献１】特開２００５−３３２２９８号公報
【発明の概要】
【発明が解決しようとする課題】
【０００５】
ところで、圧縮された画像を出力するためのメモリ空間には限りがあり、効率的に使用しなければ連続撮影可能枚数が減ってしまうという問題がある。しかしながら、上述の特許文献に開示された従来技術では、並列に圧縮した画像を出力するアドレスの制御について、言及されていない。また、メモリへの画像データの転送時にバスの使用に偏りがあると、データの転送速度が低下してしまうという問題がある。
【０００６】
そこで、本発明は、撮像素子から読み出した画像を圧縮して保存する撮像装置において、並列圧縮処理時にメモリの使用量と転送の効率を上げることを可能にした撮像装置を提供することである。
【課題を解決するための手段】
【０００７】
上記目的を達成するために、本発明は、撮像素子から読み出した画像を圧縮して、保存する撮像装置において、非圧縮画像を複数の画像に分割して、同時に圧縮して出力する画像圧縮手段と、圧縮画像の出力先を確保する手段と、確保した出力先を画像の分割ごとにそれぞれ設定する手段と、出力された圧縮画像を連結して保存する手段を備え、前記設定手段による圧縮画像の出力先の設定は、あらかじめ算出した基準画像の圧縮率に基づき設定することを特徴とする。
【発明の効果】
【０００８】
本発明によれば、撮像素子から読み出した画像を圧縮して保存する撮像装置において、並列圧縮処理時にメモリの使用量と転送の効率を上げることを可能にした撮像装置を提供することができる。
【図面の簡単な説明】
【０００９】
【図１】本発明の実施形態に係る撮像装置の構成例を示す図である。
【図２】本発明の実施形態に係る撮像装置の構成例を示す図である。
【図３】本発明の撮像素子の画素アレイを概略的に示す図である。
【図４】本発明の第１の実施例に係る映像信号処理部の構成例を示す図である。
【図５】本発明の第１の実施例を説明するフローチャートである。
【図６】本発明の第１の実施例に係るバッファメモリの構成を模式的に示す図である。
【図７】本発明の第２の実施例に係るバッファメモリの構成を模式的に示す図である。
【図８】本発明の第２の実施例を説明するフローチャートである。
【発明を実施するための形態】
【００１０】
以下に、本発明の好ましい実施の形態を、添付の図面に基づいて詳細に説明する。図１は本発明の一実施形態に係わる撮像装置である撮像装置１００の構成を示すブロック図である。
【００１１】
図１において、１０１は撮影レンズである。１０２はＡＦ（オートフォーカス）駆動部である。ＡＦ駆動部１０２は、例えばＤＣモータやステッピングモータによって構成され、マイクロコンピュータ１２３の制御によって撮影レンズ１０１のフォーカスレンズ位置を変化させることによりピントを合わせる。
【００１２】
１０３はズーム駆動部である。ズーム駆動部１０３は、例えばＤＣモータやステッピングモータによって構成され、マイクロコンピュータ１２３の制御によって撮影レンズ１０１の変倍レンズ位置を変化させることにより撮影レンズ１０１の焦点距離を変化させる。１０４は絞りである。１０５は絞り駆動部である。絞り駆動部１０５は、絞り１０４を駆動する。駆動されるべき量はマイクロコンピュータ１２３によって算出され、光学的な絞り値を変化させる。
【００１３】
１０６は撮影レンズ１０１から入射した光束をファインダー側と撮像素子側とに切替えるための主ミラーである。主ミラー１０６は常時はファインダー部へと光束を導くよう反射させるように配されているが、撮影が行われる場合には、撮像素子１１２へと光束を導くように上方に跳ね上がり光束中から待避する。また主ミラー１０６はその中央部が光の一部を透過できるようにハーフミラーとなっており、光束の一部を焦点検出を行うためのセンサに入射するように透過させる。
【００１４】
１０７は主ミラー１０６から透過してきた光束を反射させ焦点検出を行うためのセンサ（焦点検出回路１０９内に配置されている）に導くためのサブミラーである。１０８はファインダーを構成するペンタプリズムである。ファインダーは他にピント板、アイピースレンズ（不図示）などによって構成させる。１０９は焦点検出回路である。
【００１５】
ミラー１０６の中央部を透過し、サブミラー１０７で反射された光束は、焦点検出回路１０９の内部に配置された光電変換を行うためのセンサに至る。フォーカス演算に用いるデフォーカス量は、センサの出力を演算することによって求められる。マイクロコンピュータ１２３は演算結果を評価してＡＦ駆動部１０２に指示し、フォーカスレンズを駆動させる。
【００１６】
１１０はフォーカルプレーンシャッタである。１１１はシャッタ駆動回路であり、フォーカルプレーンシャッタ１１０を駆動する。シャッタの開口時間はマイクロコンピュータ１２３によって制御される。１１２は撮像素子である。撮像素子１１２には、ＣＣＤやＣＭＯＳセンサなどが用いられ、撮影レンズ１０１によって結像された被写体像を電気信号に変換する。
【００１７】
１１３はクランプ回路である。１１４はＡＧＣ回路である。クランプ回路１１３やＡＧＣ回路１１４は、Ａ／Ｄ変換をする前の基本的なアナログ信号処理を行い、マイクロコンピュータ１２３により、クランプレベルやＡＧＣ基準レベルの変更が行われる。１１５はＡ／Ｄ変換器である。Ａ／Ｄ変換器１１５は撮像素子１１２のアナログ出力信号をデジタル信号に変換する。
【００１８】
１１６は映像信号処理回路であり、ゲートアレイなどのロジックデバイスにより実現される。１１７、１１８はＵＳＢ、ＬＡＮ、Ｂｌｕｅｔｏｏｔｈ(登録商標)等に代表される通信インタフェースであり、外部通信装置１４０と通信を行う。１１９はメモリコントローラである。１２０はメモリである。メモリ１２０は取り外し可能である場合もある。
【００１９】
１２１は表示駆動回路である。表示駆動回路１２１は、マイクロコンピュータ１２３の表示内容命令に従って、主表示部材１２７や副表示部材１２８を駆動する。また、副表示部材１２８には、不図示のＬＥＤなどのバックライトが配置されており、そのＬＥＤも表示駆動回路１２１で駆動される。マイクロコンピュータ１２３は撮影前に設定されている撮影情報（絞り、シャッタースピード、ＩＳＯ感度等）を必要に応じて主表示部材１２７、副表示部材１２８、外部表示機器１３７にも表示することができる。
【００２０】
１２２はバッファメモリである。バッファメモリ１２２は複数あってもよい。映像信号処理回路１１６は、デジタル化された画像データに、フィルター処理、色変換処理、ガンマ処理を行うと共に、ＪＰＥＧなどの圧縮処理を行い、メモリコントローラ１１９に出力する。
【００２１】
映像信号処理回路１１６は、マイク１３２、または、音声ライン入力１３３からの音声信号の圧縮処理を行い、メモリコントローラ１１９に出力する。映像信号処理回路１１６は、撮像素子１１２からの映像信号や、メモリコントローラ１１９から逆に入力される画像データを、表示駆動回路１２１を通して主表示部材１２７、副表示部材１２８、外部表示機器１３７に出力することも可能である。これらの機能切り替えはマイクロコンピュータ１２３の指示により行われる。
【００２２】
映像信号処理回路１１６は、必要に応じて撮像素子１１２の信号の露出情報やホワイトバランスなどの情報をマイクロコンピュータ１２３に出力することが可能である。それらの情報を基にマイクロコンピュータ１２３はホワイトバランスやゲイン調整の指示を行う。
【００２３】
連続撮影動作の場合においては、一旦、未処理画像のままバッファメモリ１２２に撮影データを格納する。メモリコントローラ１１９を通して未処理の画像データを読み出し、映像信号処理回路１１６にて圧縮処理を行い、再度バッファメモリ１２２に圧縮データを格納する。未処理の画像データを削除して、空いた領域に次の撮影データを未処理画像のままバッファメモリ１２２に格納することで、連続撮影を行う。
【００２４】
映像信号処理回路１１６は、マイク１３２、または、音声ライン入力１３３からの音声データを、ＤＡ変換１３５を通してスピーカー１３６に出力することも可能である。メモリコントローラ１１９では、映像信号処理回路１１６から入力された未処理のデジタル画像・音声データをバッファメモリ１１２に格納し、処理済みのデジタル画像・音声データをメモリ１２０に格納する。また、逆にバッファメモリ１２２やメモリ１２０から画像・音声データを映像信号処理回路部１１６に出力する。
【００２５】
メモリコントローラ１１９は、通信インタフェース１１７、１１８を介してメモリ１２０に記憶されている画像・音声を外部通信装置１４０に出力可能である。または、外部通信装置から送信されたデータを通信インタフェース１１７、１１８を介してメモリ１２０に格納することも可能である。
【００２６】
１２３はマイクロコンピュータである。１２４は操作部材である。操作部材１２４は、マイクロコンピュータ１２３にその状態を伝え、マイクロコンピュータ１２３はその操作部材の変化に応じて各部をコントロールする。
【００２７】
１２５はスイッチ１（以後ＳＷ１）である。１２６はスイッチ２（以後ＳＷ２）である。スイッチＳＷ１とスイッチＳＷ２は、レリーズボタンの操作でオンオフするスイッチであり、それぞれ操作部材１２４の入力スイッチのうちの１つである。スイッチＳＷ１のみオンの状態はレリーズボタン半押し状態であり、この状態でオートフォーカスの動作や測光動作を行う。スイッチＳＷ１，ＳＷ２が共にオンの状態はレリーズボタンの全押し状態であり、画像を記録するためのレリーズボタンオン状態である。この状態で撮影が行われる。またスイッチＳＷ１，ＳＷ２がＯＮし続けている間は、連続撮影動作が行われる。
【００２８】
操作部材１２４には、他に、ＩＳＯ設定ボタン、画像サイズ設定ボタン、画質設定ボタン、情報表示ボタンなど不図示のスイッチが接続されており、スイッチの状態が検出されている。１２７は主表示部材である。１２８は副表示部材である。１２９は外部表示機器１３７と接続可能な通信インタフェースである。１３０は不揮発性メモリで、カメラに電源が入れられていない状態でも、データを保持することができる。
【００２９】
１３１は電源部である。電源部１３１は、各ＩＣや駆動系に必要な電源を供給する。１３２はマイクである。１３３は音声のライン入力である。１３４はＡ／Ｄ変換器である。Ａ／Ｄ変換器１３３はマイク１３２、または、音声ライン入力１３３のアナログ出力信号をデジタル信号に変換する。１３５はＤ／Ａ変換器である。Ｄ／Ａ変換器はデジタル信号をアナログ出力信号に変換する。
【００３０】
１３６はスピーカーである。１３７はディスプレイ等に代表される外部表示機器である。１４０はコンピュータや携帯電話・携帯情報端末に代表される外部通信装置である。通信インタフェース１１７、１１８を介して撮像装置１００と各種情報や画像データの送受信を行う。
【００３１】
図２は撮像素子１１２を示している。図２において撮像素子１１２は、画素アレイ２０１と、画素アレイ２０１における行を選択する垂直選択回路２０２、画素アレイ２０１における列を選択する水平選択回路２０４を含む。また、画素アレイ２０１中の画素のうち垂直選択回路２０２によって選択される画素の信号を読み出す読み出し回路２０３、各回路の動作モードなどを外部から決定するためのシリアルインターフェイス（ＳＩ）２０５を含んで構成される。読み出し回路２０３は、信号を蓄積するメモリ、ゲインアンプ、ＡＤ変換器などを列毎に有する。
【００３２】
典型的には、垂直選択回路２０２は、画素アレイ２０１の複数の行を順に選択し読み出し回路２０３に読み出す。さらに撮像素子１１２は、水平選択回路２０４を含み、読み出し回路２０３に読みだされた複数の画素信号を列毎に順に選択する。
【００３３】
図３は画素アレイ２０１を表す図である。画素アレイ２０１は、２次元の画像を提供するために、図３で示すように水平方向にＮ個、垂直方向にＭ個の画素を複数２次元アレイ状に配列して構成される。画素アレイ２０１の各画素にはカラーフィルターを保持しており、ここでは奇数行がＲ（赤）とＧ１（緑）のカラーフィルターの繰り返し、偶数行がＧ２（緑）とＢ（青）のカラーフィルターの繰り返しとなる。このような配置とすることで、ＲＡＷ画像を得ることができる。
【００３４】
図４は映像信号処理回路１１６の一部を表す図である。映像信号処理回路１１６は、ＲＡＷ画像生成部４０１、ＲＡＷ画像圧縮処理部４０２、ＲＡＷ画像伸張処理部４０３、ＲＡＷ画像現像処理部４０４、非可逆圧縮処理部４０５、メモリインターフェイス４０６からなる。ＲＡＷ画像生成部４０１は、撮像素子１１２から出力されるデータからＲＡＷ画像を生成し、メモリインターフェイス４０６を経由して、バッファメモリ１２２にＲＡＷ画像を出力する。
【００３５】
ＲＡＷ画像圧縮処理部４０３は、メモリインターフェイス４０６を経由して、バッファメモリ１２２に出力されたＲＡＷ画像を読み出し、可逆圧縮または非可逆圧縮処理を行い、バッファメモリ１２２に圧縮ＲＡＷ画像を出力する。本実施形態ではＲＡＷ画像圧縮処理部４０３は複数あるものとする。ＲＡＷ画像伸張処理部４０３は、メモリインターフェイス４０６を経由して、バッファメモリ１２２に出力された圧縮ＲＡＷ画像を読み出し、伸張処理を行い、バッファメモリ１２２に伸張ＲＡＷ画像を出力する。ＲＡＷ画像圧縮処理部４０２で可逆圧縮を行った場合は、バッファメモリ１２２に出力される画像は元のＲＡＷ画像と一致する画像となる。
【００３６】
ＲＡＷ画像現像処理部４０４は、ＲＡＷ画像伸張部４０３が出力した伸張ＲＡＷ画像を入力とし、デジタル画像データのホワイトバランス、色補間、色補正、γ変換、エッジ強調、解像度変換等の処理を行う。非可逆圧縮処理部４０５は、例えばＪＰＥＧ圧縮などの非可逆圧縮処理を行い、メモリインターフェイス４０６を経由して、バッファメモリ１２２に非可逆圧縮画像を出力する。本実施例では、ＲＡＷ画像現像処理部４０４と非可逆圧縮処理部４０５の処理時間は、ＲＡＷ画像生成部４０１、ＲＡＷ画像圧縮処理部４０２、ＲＡＷ画像伸張処理部４０３の処理時間よりも長いものとする。
【００３７】
［実施例１］
以下、本発明の第1の実施例について説明する。図５、図６を参照して、本発明の第１実施形態による、撮像装置１００のフローチャートについて説明する。まず、マイクロコンピュータ１２３は、スイッチＳＷ２ １２６の押下を検知すると、被写体の撮影を開始する（Ｓ５００）。
【００３８】
ステップＳ５０１では、撮像素子１１２に対し、ＲＡＷ画像を読み出すように設定を行い、バッファメモリ１２２へ出力する。ステップＳ５０２では、ＲＡＷ画像圧縮処理部４０２による圧縮ＲＡＷ画像を出力するため、１つのバッファメモリ１２２に対し、ＲＡＷ画像と同じデータサイズ分だけ連続領域で確保する（以下、圧縮バッファメモリ６０１）。
【００３９】
本実施形態では、バッファメモリ１２２は二つあるものとする。使用するサイズが同一になるため、使用していない場合は、ＲＡＷ画像の出力用途と圧縮ＲＡＷ画像の出力用途の切り替えをすることができ、バッファメモリ１２２の使用効率を上げることができる。また、複数のバッファメモリ１２２に同時に出力することで、メモリコントローラ１１９の使用帯域を分散することができるため、データの転送効率を上げることができる。ステップＳ５０３では、マイクロコンピュータ１２３は、圧縮バッファメモリ６０１を、基準画像に基づき、１撮影において各ＲＡＷ画像圧縮処理部４０２で使用する領域を算出する。
【００４０】
本実施例では、カラーフィルターアレイのＲ（赤）、Ｇ１（緑）、Ｇ２（緑）、Ｂ（青）の各画素に対して各ＲＡＷ画像圧縮処理部４０２が存在するものとし、基準画像の各画素の圧縮率に基づき、領域を分割して使用する。さらに各画素に対して、ウェーブレット変換等の圧縮処理を行う場合も、基準画像の圧縮率に基づき、圧縮バッファメモリ６０１を分割して使用する。本実施例では、それぞれの分割領域が１つの連続領域で設定できるものとする。
【００４１】
ステップＳ５０４では、マイクロコンピュータ１２３は、圧縮バッファメモリ６０１の分割した領域を各ＲＡＷ画像圧縮処理部４０２に設定し、同時に圧縮処理の開始を指示する。各ＲＡＷ画像圧縮処理部４０２の想定圧縮率に基づきそれぞれ設定することで、メモリの使用効率を上げることができる。分割した領域の一部を設定することでできた空き領域は次の撮影に使用する。
【００４２】
ステップＳ５０５では、設定した圧縮バッファメモリ６０１に圧縮ＲＡＷ画像が収まる場合はステップＳ５０６へ進む。そうでない場合は、ステップＳ５０７へ進む。ステップＳ５０６では、設定した圧縮バッファメモリ６０１から使用しなかった領域を空き領域とし、ステップＳ５０４の空き領域と合わせて、次の撮影に使用できるように設定し、ステップＳ５０８へ進む。ステップＳ５０３からステップＳ５０６を繰り返すことで、バッファメモリ１２２の空き領域がある間は、処理時間が遅い後段の処理を待っている間も連続撮影を行うことができる。
【００４３】
ステップＳ５０７では、設定した圧縮バッファメモリ６０１が不足しているため、設定するサイズを増やしてステップＳ５０４に戻る。ステップＳ５０８では、圧縮ＲＡＷ画像伸張処理部４０３で圧縮バッファメモリ６０１に出力された圧縮ＲＡＷ画像の伸張処理を行い、伸張ＲＡＷ画像をバッファメモリ１２２に出力する。ここで、圧縮ＲＡＷ画像の保存を行わない場合は、圧縮ＲＡＷ画像の出力に使用した領域を解放してもよい。解放された領域はステップＳ５０４の空き領域と合わせて、次の撮影に使用できるように設定する。
【００４４】
ステップＳ５０９では、ＲＡＷ画像現像処理部４０４でバッファメモリ１２２に出力された伸張ＲＡＷ画像の現像処理を行い、現像画像をバッファメモリ１２２に出力する。ステップＳ５１０では、非可逆圧縮処理部４０５でバッファメモリ１２２に出力された現像画像の非可逆圧縮処理を行い、圧縮画像をバッファメモリ１２２に出力する。ステップＳ５１１では、画像ファイルの生成を行う。画像ファイルの生成においては、保存する画像の設定に応じて、圧縮ＲＡＷ画像、圧縮画像をバッファメモリ１２２から読み出して生成する。
【００４５】
ステップＳ５１２では、生成された画像ファイルを、メモリコントローラ１１９を介して、連結してメモリ１２０へ保存する。ステップＳ５１３では、圧縮ＲＡＷ画像の出力に使用した領域を解放する。解放された領域はステップＳ５０４の空き領域と合わせて、次の撮影に使用できるように設定する。ステップＳ５１４で撮影処理を終了する。
【００４６】
以上の実施形態では、複数のＲＡＷ画像圧縮処理部４０２にそれぞれバッファメモリ１１２２の出力先が設定でき、同時に圧縮処理が実行できる撮像装置１００において、バッファメモリ１２２の使用量と転送の効率を上げることを可能にした撮像装置を提供することができる。
【００４７】
［実施例２］
以下、本発明の第２の実施例について説明する。本実施例では、第１の実施例と同様の構成を有する。図７、図８を参照して、本実施例に係る撮像装置１００で離散したバッファメモリ１２２を連結して使用する場合のフローチャートについて説明する。なお、前述と同一の処理を行うステップにおいては、同一の符号を付して説明を省略する。
【００４８】
ステップＳ８０１では、連続撮影を続けていて、ステップＳ５０３で算出したサイズが圧縮バッファメモリ６０１では不足する場合、ステップＳ５０２へ戻り、別の連続領域（以下、圧縮バッファメモリ７０１）確保する。確保するサイズは圧縮バッファメモリ６０１と同一のサイズとする。
【００４９】
ステップＳ８０２では、圧縮バッファメモリ６０１と圧縮バッファメモリ７０１を連結して使用するように設定を行う。ここで、画像の色成分や周波数成分の違いによりＲＡＷ画像圧縮処理部４０２の出力がばらつき、圧縮バッファメモリ６０１の全領域の空きが同時に０にならないことがある。マイクロコンピュータ１２３は、圧縮バッファメモリ６０１の分割した領域が一つでも０になる場合は、圧縮バッファメモリ６０１の全領域が解放されるまで使用しないようにする。これにより、ＲＡＷ画像圧縮処理部４０２の出力の生存期間のばらつきがなくなるため、メモリの使用効率を上げることができる。
【００５０】
以上の実施形態では、複数のＲＡＷ画像圧縮処理部４０２にそれぞれバッファメモリ１１２２の出力先が設定でき、同時に圧縮処理が実行できる撮像装置１００において、バッファメモリ１２２を連結して使用するときに使用量の効率を上げることを可能にした撮像装置を提供することができる。
【００５１】
以上、本発明の好ましい実施形態について説明したが、本発明はこれらの実施形態に限定されず、その要旨の範囲内で種々の変形及び変更が可能である。
【符号の説明】
【００５２】
１００：撮像装置
１１９：メモリコントローラ
１２２：バッファメモリ
１２３：マイクロコンピュータ
４０２：ＲＡＷ画像圧縮処理部
【図１】
2019087955.tif 000003
【図２】
2019087955.tif 000004
【図３】
2019087955.tif 000005
【図４】
2019087955.tif 000006
【図５】
2019087955.tif 000007
【図６】
2019087955.tif 000008
【図７】
2019087955.tif 000009
【図８】
2019087955.tif 000010